(57)【要約】【課題】玄米を精白する精白装置の下方に、精米ホッパ・計量器・精米ケースを備え、精米ケースを引き出して所定量の精米を機外に取り出す、米びつ機能を備えた精米機では、従来より、精白装置からの糠を受けて機外に取り出す糠ケースだけが、精米機のハウジング外周に装着されており、糠ケースの分だけ精米機の幅が大きくなったり、糠が外部の糠ケースまで糠シュータ上を流下する途中で飛散する、という問題があった。【解決手段】精米ホッパ９・計量器１０・精米ケース１１を上から順に連設して精米ユニット１２を構成し、精米ユニット１２に糠ケース１３を幅方向に並設して成る貯溜部１８を、玄米ホッパ５の幅Ｗと略同一幅内に配設した。【選択図】図３
2015174050.tif 000002
【特許請求の範囲】
【請求項１】
玄米を貯溜する玄米ホッパと、該玄米ホッパの下方にあって玄米を精白する精白装置と、該精白装置の除糠網からの糠を受けて機外に取り出す糠ケースと、該糠ケース・前記除糠網間に介設して糠を糠ケースまで流下させる糠シュータと、前記精白装置の排出口からの精米を貯溜する精米ホッパと、該精米ホッパから所定量の精米を取り出す計量器と、該計量器からの精米を受けて機外に取り出す精米ケースとを備えた精米機において、前記精米ホッパ・計量器・精米ケースを上から順に連設して精米ユニットを構成し、該精米ユニットに前記糠ケースを幅方向に並設して成る貯溜部を、前記玄米ホッパの幅と略同一幅内に配設したことを特徴とする精米機。
【請求項２】
前記精白装置は、前記貯溜部における糠ケースと精米ユニットとの境界上方で、前記玄米ホッパの幅の略中央下方に配置すると共に、精米を前記排出口から精米ホッパまで流下させる精米シュータと、前記糠シュータとを、幅方向両側に振り分けて備えることを特徴とする請求項１に記載の精米機。
【請求項３】
前記糠シュータを振動可能な振動手段を設けることを特徴とする請求項１または請求項２に記載の精米機。
【請求項４】
前記振動手段は、前記糠シュータを精白装置の構成部材によってのみ支持させる限定支持構造であることを特徴とする請求項３に記載の精米機。
【請求項５】
前記糠シュータと、該糠シュータの近傍部材との間に、振動時の接触防止のための隙間を設けることを特徴とする請求項４に記載の精米機。
【請求項６】
前記精白装置から周辺部材への振動伝達経路の途中に、防振部材を介設することを特徴とする請求項４に記載の精米機。
【発明の詳細な説明】
【技術分野】
【０００１】
本発明は、玄米を貯溜する玄米ホッパと、該玄米ホッパの下方にあって玄米を精白する精白装置と、該精白装置の除糠網からの糠を受けて機外に取り出す糠ケースと、該除糠網・前記糠ケース間に介設して糠を糠ケースまで流下させる糠シュータと、前記精白装置の排出口からの精米を貯溜する精米ホッパと、該精米ホッパから所定量の精米を取り出す計量器と、該計量器からの精米を受けて機外に取り出す精米ケースとを備えた精米機に関し、特に、糠ケースの配置構成に関する。
【背景技術】
【０００２】
従来より、玄米ホッパ、精白装置、糠ケース、精米ホッパ、計量器、及び精米ケースを備え、玄米を玄米ホッパ内に投入すると所定時間経過後に精白装置が自動的に駆動し、該精白装置により精白された精米は、前記精米ホッパ内に所定量まで貯溜された後に、前記計量器を使って必要な量だけ精米ケースに受けて機外に取り出される、米びつ機能を有する精米機に関する技術が公知となっている（例えば、特許文献１参照）。該技術によると、所定量の精米を精米ホッパ内に常に確保した上で、玄米を精白する時間を待つことなく、精米を必要な量だけ即座に機外に取り出すことができる。この際、前記精白装置により玄米から除去された糠は、糠シュータを介して前記糠ケースに送られた後、該糠ケースによって機外に取り出されるようにしている。
【先行技術文献】
【特許文献】
【０００３】
【特許文献１】特開２００２−２３８７８４号公報
【発明の概要】
【発明が解決しようとする課題】
【０００４】
しかしながら、前記技術では、玄米ホッパ、精白装置、精米ホッパ、計量器、及び精米ケースは、共通の箱形のハウジング内部に収容されているが、糠ケースだけは、該ハウジング外周の横側面に装着されているため、糠ケースの分だけ精米機の幅が大きくなって精米機の置き場所が限定されたり、糠が、ハウジング内部の精白装置からハウジング外部の糠ケースまで糠シュータ上を流下する途中で、ハウジング周囲に飛散するおそれがある、という問題があった。
更に、精白装置から糠ケースの取入口までの距離が長いため、介設した糠シュータの流路勾配が小さくなって糠が流下しにくくなり、糠が糠シュータの流路上面に付着し、酷くなると糠が厚く積層して堰となり、流下しようとする糠を堰き止め、目詰まりが発生する、という問題があった。
【課題を解決するための手段】
【０００５】
本発明の解決しようとする課題は以上の如くであり、次にこの課題を解決するための手段を説明する。
すなわち、請求項１においては、玄米を貯溜する玄米ホッパと、該玄米ホッパの下方にあって玄米を精白する精白装置と、該精白装置の除糠網からの糠を受けて機外に取り出す糠ケースと、該糠ケース・前記除糠網間に介設して糠を糠ケースまで流下させる糠シュータと、前記精白装置の排出口からの精米を貯溜する精米ホッパと、該精米ホッパから所定量の精米を取り出す計量器と、該計量器からの精米を受けて機外に取り出す精米ケースとを備えた精米機において、前記精米ホッパ・計量器・精米ケースを上から順に連設して精米ユニットを構成し、該精米ユニットに前記糠ケースを幅方向に並設して成る貯溜部を、前記玄米ホッパの幅と略同一幅内に配設したものである。
請求項２においては、前記精白装置は、前記貯溜部における糠ケースと精米ユニットとの境界上方で、前記玄米ホッパの幅の略中央下方に配置すると共に、精米を前記排出口から精米ホッパまで流下させる精米シュータと、前記糠シュータとを、幅方向両側に振り分けて備えるものである。
請求項３においては、前記糠シュータを振動可能な振動手段を設けるものである。
請求項４においては、前記振動手段は、前記糠シュータを精白装置の構成部材によってのみ支持させる限定支持構造である。
請求項５においては、前記糠シュータと、該糠シュータの近傍部材との間に、振動時の接触防止のための隙間を設けるものである。
請求項６においては、前記精白装置から周辺部材への振動伝達経路の途中に、防振部材を介設するものである。
【発明の効果】
【０００６】
本発明は、以上のように構成したので、以下に示す効果を奏する。
すなわち、請求項１により、糠ケースを、玄米ホッパ・精白装置・精米ユニットと共通のハウジング内に、幅方向にコンパクトに収容することができる。これにより、従来のように、糠ケースの分だけ精米機の幅が大きくなって精米機の置き場所が限定されたり、糠が、ハウジング内部の精白装置からハウジング外部の糠ケースまで流下する途中でハウジングの外周に飛散したりすることがなく、設置性の向上や、ハウジング周囲の清掃作業等の作業負荷の軽減が図れる。更に、精白装置から糠ケースの取入口までの距離が短縮され、その間に介設する糠シュータの流路勾配が大きくなり、糠が流下しやすくなって糠シュータの流路上面への付着や目詰まりが抑制され、糠シュータ清掃作業等の作業負荷の軽減が図れる。
請求項２により、精白装置を玄米ホッパの幅の略中央下方に配置するので、玄米ホッパを幅方向対称に形成することができ、部品コストの低減が図れ、更には、例えば、玄米ホッパを、正面視で略中央位置に精白装置への開口を備えたロート状に形成する場合は、玄米ホッパの絞り部の下方にて幅方向略均一に確保された空間に、精白装置駆動用の大径の入力プーリを余裕を持って配置することができ、電動モータのモータ軸上の出力プーリとの間の最大減速比を大きくして、速度制御範囲の拡大が図れる。これに加え、糠シュータ・精米シュータを幅方向両側に振り分けて設けるので、精白装置を精米ホッパの幅方向反対側に離間して配置する場合に比べ、精白装置から精米ホッパの取入口までの距離も短縮することができ、その間に介設する精米シュータの流路勾配が大きくなり、精米が流下しやすくなって、精米に残存している糠の精米シュータの流路上面への付着や目詰まりが抑制され、精米シュータ清掃作業等の作業負荷の軽減が図れる。
請求項３により、流下する糠が糠シュータの流路上面に付着するのを、振動によって大きく抑制することができ、糠シュータ清掃作業等の作業負荷の更なる軽減が図れる。
請求項４により、精白装置駆動時の振動を、ほとんど減衰させることなく糠シュータに効果的に伝達することができ、振動装置を別途に設ける必要がなくなり、装置コストの低減、メンテナンス性の向上を図ることができる。
請求項５により、糠シュータと、該糠シュータの近傍部材との間に、振動時の接触防止のための隙間を設けるので、糠シュータが糠ケース等の近傍部材と直接接触しないようにすることができ、振動の減衰を防止して、糠シュータ清掃作業等の作業負荷を更に一層軽減できる。加えて、糠シュータ・近傍部材間が繰り返し接触しないようにして、損耗や大きな騒音の発生を防止することができる。
請求項６により、振動が玄米ホッパや基台等の周辺部材に直接伝達されないようにすることができ、振動の減衰を防止して、糠シュータ清掃作業等の作業負荷を更に一層軽減できる。加えて、前記精白装置から防振部材までの振動伝達経路途中にある部材が揺れるに伴い、糠シュータ全体を大きく揺らすことができ、糠が糠シュータの流路上面に付着するのを一層抑制できる。
【図面の簡単な説明】
【０００７】
【図１】本発明に係わる精米機の全体構成を示す斜視図である。
【図２】同じく側面断面図である。
【図３】同じく正面断面図である。
【図４】精白装置周辺の側面図である。
【図５】同じく正面図である。
【図６】糠シュータの装着状況を示す、精白装置を横斜め下方から見た斜視図である。
【発明を実施するための形態】
【０００８】
以下、本発明の実施の形態について詳細に説明する。
なお、図１の矢印Ｆで示す方向から見た面を、精米機１の正面とし、以下で述べる各部材の位置や方向等は、この正面を基準とする。例えば、以下の説明で述べる幅方向とは、この正面から見て左右方向を示す。
【０００９】
まず、本発明に関わる精米機１の全体構成について、図１乃至図３により説明する。
該精米機１において、平面視矩形状の基台２上の後部には、正面視で下に開いた門型形状の機枠３が立設され、該機枠３上面には、玄米を精白する精白装置４の後部と、該精白装置４を駆動する電動モータ２０を始動するためのコンデンサ２９とが、左右に載置固定されている。そして、前記精白装置４の左斜め上方には、精米の精白度を調節する精白度調節機構１６が配置されると共に、該精白装置４の上方には、玄米を投入して貯溜する玄米ホッパ５が配置されている。
【００１０】
該玄米ホッパ５は、上端開口の投入口５ａよりも下端開口の流下口５ｂを小さくした下細りロート状に形成されている。そして、該玄米ホッパ５の幅Ｗの略中央下方に前記精白装置４を配置した上で、該精白装置４のケーシング７の上部に設けた取入口３０ａに、前記流下口５ｂを連通連結させる構成とすることにより、該流下口５ｂが幅方向の一方に偏位しないようにして、前記玄米ホッパ５を幅方向対称に形成可能としている。
【００１１】
また、前記機枠３より前方の基台２上には、その右半部に支持部材８が載置固定されている。該支持部材８は、正面視で上に開いたＵ字形状であって、前後方向に延びるガイドレール８ａと、該ガイドレール８ａの前半部の左右外側面より立設される、側面視三角形状の左右一対の支持板８ｂ・８ｂとから構成される。
【００１２】
このうちのガイドレール８ａ上には、精米ケース１１のボックス状のケース部１１ａが、前後摺動可能に載置されている。該ケース部１１ａ前面には、前面パネル部１１ｂが固設され、該前面パネル部１１ｂの正面視略中央部には、凹状の把持穴１１ｂ１が形成されており、該把持穴１１ｂ１を把持して手前に引くことにより、前記精米ケース１１をガイドレール８ａに沿って機外に取り出せるようにしている。
【００１３】
前記支持板８ｂ・８ｂの上端間には、計量器１０の計量本体部１０ａの前下部が固定支持されている。該計量本体部１０ａ内には、所定量の精米を計量して蓄える、図示せぬ半円筒状の回転体が内蔵され、該回転体は、前記計量本体部１０ａから前方に突設された計量レバー１０ｂに、連動可能に連結されており、該計量レバー１０ｂを把持して下方へ押動することにより、前記回転体が回転して内部の所定量の精米が下方に落下し、前記精米ケース１１のケース部１１ａ内に、取入口１１ａ１から流入されるようにしている。
【００１４】
該計量本体部１０ａの上部には、上下に開口した角筒状の精米ホッパ９の下部が固設されている。該精米ホッパ９の上端開口の取入口９ａは、前記精白装置４の右半部の下方に配置されると共に、下端開口の流下口９ｂは、前記計量器１０の計量本体部１０ａの取入口１０ａ１に連通連結されており、前記精白装置４の排出口５５ａから排出された精米が、前記取入口９ａから精米ホッパ９内に流入して貯溜され、更に、前記流下口９ｂから取入口１０ａ１を介して計量本体部１０ａ内に流入されるようにしている。
【００１５】
このように、前記精米ホッパ９・計量器１０・精米ケース１１を上から順に連設して精米ユニット１２が構成されると共に、該精米ユニット１２には、前記精白装置４から排出される精米を精米ホッパ９内に一旦貯溜しておき、必要に応じて計量器１０を操作して所定量の精米を精米ケース１１に受け、該精米ケース１１によって精米を機外に取り出す米びつ機能が備えられている。
【００１６】
また、前記機枠３より前方の基台２上には、その左半部に、正面視で上に開いたＵ字形状で前後方向に延びるガイドレール１５が締結固定されている。そして、該ガイドレール１５上に、糠ケース１３のボックス状のケース部１３ａが、前後摺動可能に載置されている。
【００１７】
該ケース部１３ａの上端開口の取入口１３ａ１は、前記精白装置４の左半部の下方に配置されており、前記精白装置４の除糠網１７から落下した糠が、前記取入口１３ａ１から糠ケース１３内に流入されるようにしている。
【００１８】
なお、前記ケース部１３ａ前面には、前面パネル部１３ｂが固設され、該前面パネル部１３ｂの正面視略中央部には、球状の把手１３ｂ１が固定されており、該把手１３ｂ１を把持して手前に引くことにより、前記糠ケース１３をガイドレール１５に沿って機外に取り出せるようにしている。
【００１９】
このような糠ケース１３は、前記精米ユニット１２の幅方向に並設して配置され、本実施例では左方に並設して配置されており、これら精米ユニット１２・糠ケース１３より、前記玄米ホッパ５の下方に位置する貯溜部１８が形成される。
【００２０】
そして、該貯溜部１８は、図３に示すように前記玄米ホッパ５の幅Ｗと略同一幅内に配設され、その上を、下に開口したボックス状のハウジング６が覆い、前記基台２上に締結固定されており、これにより、前記玄米ホッパ５・精白装置４・貯溜部１８を所定幅内に無駄なく配置してハウジング６内に収容し、該ハウジング６の幅狭化を図るようにしている。
【００２１】
更に、該ハウジング６の左右の上部内壁間に、前記玄米ホッパ５が固定されており、これにより、前記基台２上に貯溜部１８・精白装置４等を残したままで、玄米ホッパ５をハウジング６と一緒に着脱することができ、前記貯溜部１８・精白装置４等へのアクセスを容易にして、メンテナンス性の向上も図るようにしている。
【００２２】
なお、前記ハウジング６において、前記精米ホッパ９・計量器１０の前方は、前記精米ケース１１・糠ケース１３の前面パネル部１１ｂ・１３ｂと略同一面上にある、共通の前面パネル１４によって覆われており、該前面パネル１４の上下部に、それぞれ、前記精米ホッパ９の状況を確認する確認窓１４ａと、前記計量器１０の計量レバー１０ｂを後端開口によって上下揺動自在に支持する支持凹部１４ｂとが形成されている。
【００２３】
また、前記機枠３の下半部には、その左右側板３ａ・３ｂ間に支持ステー１９が橋設され、該支持ステー１９に、前記電動モータ２０が固設されている。
【００２４】
そして、該電動モータ２０から後方に、モータ軸２１が突出される一方、前記精白装置４のケーシング７には、該精白装置４を駆動する駆動軸２５が、前記モータ軸２１と平行に、回動自在に支持されている。
【００２５】
更に、機枠３とハウジング６の後側壁６ａとの間の空間には、ベルト伝達機構２８が配設されている。該ベルト伝達機構２８は、前記モータ軸２１の後端に固設された駆動プーリ２２と、該駆動プーリ２２よりも大径で前記駆動軸２５の後端に固設された従動プーリ２４と、該従動プーリ２４・前記駆動プーリ２２間に巻回されたベルト２３と、前記機枠３に取り付けられベルト２３に右側から圧接されるテンションプーリ２６とから成る。
【００２６】
ここで、前述の如く、前記玄米ホッパ５は幅方向対称であるため、玄米ホッパ５下半部の絞り部５ｃの下方には、幅方向で略均一な前後長を有する空間６０を確保することができ、該空間６０内に、大径の前記従動プーリ２４を、前記玄米ホッパ５と干渉することなく配置できるようにしている。
【００２７】
以上のような構成において、玄米を投入口５ａから玄米ホッパ５内に投入すると、図示せぬ制御装置によって、所定時間経過後に電動モータ２０が自動的に駆動を開始し、該電動モータ２０からベルト伝達機構２８を介して駆動軸２５に伝達されてきたモータ動力によって、前記精白装置４が駆動される。
【００２８】
すると、取入口３０ａから精白装置４内に流入した玄米は、後述するようにして、精白されながら前方に押し出され、排出口５５ａから精米として排出され、精米ホッパ９内に流入する。
【００２９】
ここで、該精米ホッパ９の背面にはロッド７３が連結され、該ロッド７３の途中部と、前記機枠３との間には付勢バネ７４が介設されており、前記精米ホッパ９は、該付勢バネ７４の弾性力によって所定高さに保持されると共に、前記機枠３には、前記ロッド７３の下方位置に、前記制御装置に接続されるリミットスイッチ７５が配置されている。
【００３０】
これにより、前記精米ホッパ９内に精米が流入すると、該精米ホッパ９が前記付勢バネ７４の弾性力に抗して下降していき、精米が所定量まで流入すると、前記ロッド７３のステー７３ａによって、前記リミットスイッチ７５のスイッチアーム７５ａが下方に押動されてスイッチ「入」となり、該リミットスイッチ７５から前記制御装置にモータ停止信号が送信されて、電動モータ２０が停止する。
【００３１】
このようにして貯溜された精米は、計量器１０の計量レバー１０ｂの押動操作によって、必要な量だけ計量されて下方に落下し、精米ケース１１内に流入し、その後、把持穴１１ｂ１を把持して手前に引いて精米ケース１１を引き出すことで、必要量の精米を機外に取り出せるようにしている。
【００３２】
取り出して精米ホッパ９内の精米が減少すると、該精米ホッパ９が付勢バネ７４の弾性力によって上昇し、前記リミットスイッチ７５がスイッチ「切」となって、前記制御装置にモータ停止信号が送信されなくなり、再び、前記電動モータ２０によって精白装置４が駆動される。このようにして、所定量の精米が常に精米ホッパ９内に貯溜される。
【００３３】
次に、前記精白装置４・精白度調節機構１６について、図２乃至図５により説明する。
該精白装置４は、幅方向に並設した前記糠ケース１３と精米ユニット１２の境界上方にあって、前記玄米ホッパ５の下方に前後方向に延設された直方体形状の前記ケーシング７と、該ケーシング７の軸心部に挿通する精白ロール２７と、該精白ロール２７と前記ケーシング７との間にあって精白ロール２７の外周を覆う前記除糠網１７とから構成される。
【００３４】
このうちのケーシング７は、前後方向に軸心を有する角パイプ３０の前後端開口を前壁３１と後壁３４によって覆設すると共に、該角パイプ３０の内部空間を、前後の第一隔壁３２・第二隔壁３３によって仕切るようにして構成される。そして、該第一隔壁３２・第二隔壁３３で挟まれた空間に玄米流下路３５が形成され、該玄米流下路３５の上方の前記角パイプ３０に、前記取入口３０ａが設けられると共に、該玄米流下路３５内を、前記精白ロール２７が通るようにしている。
【００３５】
該精白ロール２７は、筒状であって、その内部に後方より前記駆動軸２５が挿嵌され一体化されると共に、該駆動軸２５は、前記第二隔壁３３・後壁３４に回動自在に支持されており、前記精白ロール２７が、電動モータ２０からのモータ動力によって回転駆動されるようにしている。
【００３６】
更に、該精白ロール２７の後半部の外周面には、螺旋状のねじ山部２７ａ１を有する螺旋溝２７ａが形成され、精白ロール２７で該螺旋溝２７ａを有する部分が、前記玄米流下路３５内を通るようにしている。そして、前記精白ロール２７の前半部の外周面には、略４分の１周にわたって、前記ねじ山部２７ａ１と逆方向に螺旋状となった一対の撹拌羽根２７ｂが形成されると共に、該撹拌羽根２７ｂから前記螺旋溝２７ａにわたって、前記除糠網１７が外嵌されている。
【００３７】
該除糠網１７は、断面視正六角形状であって、その周面には、周方向に長い多数のスリット１７ａが穿孔されている。そして、前記玄米流下路３５内では、前記除糠網１７の上周面が、半筒状に取り除かれて開口部１７ｂが形成されると共に、前記除糠網１７の下周面には、前記スリット１７ａを形成しないようにしている。
【００３８】
これにより、前記取入口３０ａから玄米流下路３５を通って流下してきた玄米が、下方に漏れ落ちることなく、前記開口部１７ｂから除糠網１７内に流れ込めるようにしている。
【００３９】
更に、前記ケーシング７において、前記角パイプ３０には、前記前壁３１・第一隔壁３２で挟まれた部分の下面が取り除かれて開口部３０ｂが形成され、該開口部３０ｂの下方に、後で詳述する糠シュータ３６が配置されている。
【００４０】
また、前記精白度調節機構１６においては、前記精白装置４のケーシング７の上面に、左右の支持ステー３８・３９が固設され、このうちの左の支持ステー３８は、側面視で前方に開いたＵ字形状であって、上下板部３８ａ・３８ｂ間には、上下方向に延出されたダイヤル軸４１が、水平回動自在に設けられている。そして、該ダイヤル軸４１の上端は、前記上板部３８ａより上方に突出し、その突出端にはダイヤル４０が固設されている。
【００４１】
前記下板部３８ｂには、第一アーム４４の前端が、支軸４３を介して水平回動自在に支持されると共に、該第一アーム４４の途中部に立設された支持ピン５７には、カムカラー５６が回動可能に外嵌され、該カムカラー５６が、前記ダイヤル軸４１に設けたカム４２の側縁に当接されるようにしている。
【００４２】
一方、前記第一アーム４４の後端は、連結軸４６を介して第二アーム４５の前端に連結され、該第二アーム４５は、前記右の支持ステー３９の上方まで延設されている。
【００４３】
前記右の支持ステー３９は、側面視で上方に開いたＵ字形状であって、前後板部３９ａ・３９ｂ間には、調節ロッド４７が前後摺動自在に挿通されている。そして、該調節ロッド４７の前端は、前記前板部３９ａよりも前方に突出し、その突出端には押圧ヘッド４７ａが形成される一方、調節ロッド４７の後端は、前記後板部３９ｂよりも後方に突出されている。
【００４４】
更に、前後板部３９ａ・３９ｂ間の調節ロッド４７上には、抵抗バネ４９が巻回され、該抵抗バネ４９の前端は、係止ピン４８によって調節ロッド４７に係止されている。そして、該抵抗バネ４９の後端と前記後板部３９ｂとの間には、前記第二アーム４５の後端で側面視Ｌ字形状に屈曲形成された係止部４５ａが、前記調節ロッド４７は挿通可能で抵抗バネ４９は挿通不能に、介設されている。
【００４５】
ここで、前記精白装置４の前壁３１の前面に、前記排出口５５ａを正面視略中央に開口した抵抗板５５が固定され、該抵抗板５５の前面が、後端と右斜め下部が開口した椀形状のカバー部５９によって覆設されることにより、精米を前記排出口５５ａから精米ホッパ９まで流下させる精米シュータ３７が形成されている。
【００４６】
該精米シュータ３７内においては、支点軸５１が幅方向に横設され、該支点軸５１を中心にして前後回動可能な押動板５２が内設されている。そして、該押動板５２の上部に、前記調節ロッド４７と同軸上の調整ボルト５０が螺挿され、押動板５２の下部は、押しピン５３を介して、前記排出口５５ａ内に先部が嵌合する抵抗円盤５４と連結されている。該抵抗円盤５４は、前記排出口５５ａよりも径方向に若干大きく形成されており、その先部により排出口５５ａ前面が覆われるようにしている。
【００４７】
そして、該抵抗円盤５４の直後方に、前記撹拌羽根２７ｂの先端部分が近接配置されると共に、前記排出口５５ａの周縁部後面に、前記除糠網１７の先端部分が当接されている。
【００４８】
これにより、前記ダイヤル４０を、前記上板３８ａに設けた図示せぬ目盛りに基づいて所定の精白度まで水平回動すると、カム４２が回転してカムカラー５６が押動され、支軸４３を中心にして第一アーム４４が回動し、連結軸４６を介して第二アーム４５が、矢印５８に示すように前後方向に押し引き操作される。
【００４９】
例えば、該第二アーム４５が前方に押動されると、抵抗バネ４９・係止ピン４８を介して調節ロッド４７が前方に押動され、該調節ロッド４７の押圧ヘッド４７ａによって調整ボルト５０が前方に押動され、前記押動板５２が支点軸５１を中心にして回動する。すると、該支点軸５１を挟んで調整ボルト５０と反対側に設けた押しピン５３を介して、前記抵抗円盤５４が後方に押動され、該抵抗円盤５４は、前記排出口５５ａに対し、前記抵抗バネ４９を介して弾性的に付勢される。
【００５０】
これにより、前記ダイヤル４０の操作によって排出口５５ａに対する抵抗円盤５４の付勢力を変更可能としている。なお、前記調整ボルト５０は、回動させると押動板５２を基準にして前後に伸縮させることができ、前記押動板５２の初期姿勢を設定して所定の初期付勢力に調整できるようにしている。
【００５１】
以上のような構成において、電動モータ２０が自動的に駆動を開始すると、前記ベルト伝動機構２８・駆動軸２５を介して精白ロール２７が回転駆動し、前記取入口３０ａから玄米流下路３５を通って流下してきた玄米が、前記開口部１７ｂから除糠網１７内に流れ込み、前記精白ロール２７の螺旋溝２７ａによって、前記除糠網１７内を順次前方に移動する。
【００５２】
そして、玄米は、除糠網１７内を挿通する精白ロール２７の攪拌羽根２７ｂと除糠網１７との間にて、該撹拌羽根２７ｂによって前記開口部１７ｂに向かって逆方向に押し戻されつつ、摩擦力によって精白され、この際に玄米から取り除かれた糠だけが、除糠網１７のスリット１７ａを通過し、前記開口部３０ｂを通って、前記糠シュータ３６上に落下する。
【００５３】
一方、前記精白ロール２７によって糠が除去された精米は、前記排出口５５ａと抵抗円盤５４との間の隙間を通って、精米シュータ３７内に流入する。この際、前記排出口５５ａに対する抵抗円盤５４の付勢力を、前記ダイヤル４０の操作によって変更し、前記排出口５５ａからの精米の排出抵抗を増減させることにより、前記攪拌羽根２７ｂと除糠網１７との間の摩擦力を増減させて、精米の精白度を調節することができる。
【００５４】
次に、前記糠シュータ３６、精米シュータ３７について、図２、図４乃至図６により説明する。
該糠シュータ３６は、単一の板材の周縁部を上方に屈曲して形成され、前記精白装置４の開口部３０ｂから落下した糠を受けて左斜め下方に流下させる流路板部３６ａと、該流路板部３６ａの前縁から左斜め上方に屈曲する前側板部３６ｂと、前記流路板部３６ａの後縁から左斜め上方に屈曲する後側板部３６ｃと、前記流路板部３６ａの右縁から上方に屈曲する取付板部３６ｄとから構成される。
【００５５】
そして、前記流路板部３６ａ・前側板部３６ｂ・後側板部３６ｃの左端によって糠流下口３６ｅが形成され、糠流下口３６ｅは、共通のハウジング６内にあって糠流下口３６ｅと幅方向で近接した糠ケース１３の取入口１３ａ１までしか延設する必要がなく、これにより、精白装置４から糠ケース１３の取入口１３ａ１までの距離が短縮され、その間の糠シュータ３６の流路勾配も大きくすることができる。
【００５６】
更に、前記取付板部３６ｄは、前記精白装置４の角パイプ３０の右側壁３０ｃにのみ、一対のボルト６１・６１によって締結固定されると共に、前記流路板部３６ａの途中部は、その直下の取入口１３ａ１よりも上方にあって、その間には所定高さの隙間７２が設けられており、これにより、振動中であっても糠シュータ３６が糠ケース１３に直接接触することがない。つまり、精米機１は、糠シュータ３６が精白装置４のケーシング７によってのみ支持される限定支持構造６２を備えている。
【００５７】
ここで、前記精白装置４においては、前述の如く、回動する精白ロール２７の攪拌羽根２７ｂと除糠網１７との間の摩擦力によって玄米が精白されるが、その間、該摩擦力によって前記ケーシング７全体が振動する。
【００５８】
これにより、玄米を精白中は、糠シュータ３６をケーシング７の振動によって常に振動させることができ、糠シュータ３６の流路板部３６ａ上を流下する糠が、該流路板部３６ａの上面に付着するのを、大きく抑制することができる。しかも、前記限定支持構造６２によって、ケーシング７の振動を、ほとんど減衰することなく糠シュータ３６に伝達させることができる。
【００５９】
加えて、前記精白装置４の取入口３０ａと、前記玄米ホッパ５の流下口５ｂとの間には、ゴム系でリング状の防振スポンジ７１が介設されており、前記流下口５ｂからの玄米は、前記防振スポンジ７１内の孔７１ａを通って取入口３０ａ内に流下するようにしている。
【００６０】
そして、前記精白装置４を載置固定する機枠３と、前記基台２との間には、ゴム系で板状の防振シート７０が介設されており、該防振シート７０上に前記機枠３と精白装置４とが一緒に載置されるようにしている。
【００６１】
これにより、前記精白装置４の振動が、該基台２や前記玄米ホッパ５に直接伝達されないようにしている。この際、前記機枠３が基台２上の防振シート７０の上で前後左右に揺れるため、前記精白装置４全体に大きな揺れを付与することができる。
【００６２】
また、前記精米シュータ３７は、前述の如く、前記排出口５５ａを開口した抵抗板５５の前面を、後端と右斜め下部が開口した椀形状のカバー部５９によって覆設して形成されており、前記排出口５５ａから排出された精米が、精米シュータ３７の内部下面の流路板部３７ａ通って、右斜め下部の精米流下口３７ｂから落下するようにしている。
【００６３】
そして、該精米流下口３７ｂも、前記糠流下口３６ｅと同様に、共通のハウジング６内にあって精米流下口３７ｂと幅方向で近接した精米ホッパ９の取入口９ａまでしか延設する必要がなく、これにより、精白装置４から精米ホッパ９の取入口９ａまでの距離も短縮し、その間の精米シュータ３７の流路勾配も大きくすることができる。
【００６４】
以上のような構成において、玄米ホッパ５の幅Ｗの略中央下方に配置した精白装置４を中心にして、幅方向両側に、前記糠シュータ３６・精米シュータ３７をそれぞれ振り分けて設けることができ、前述の如く、糠シュータ３６・精米シュータ３７のいずれの流路勾配も大きくなり、糠や、精米に残存している糠が、各シュータ３６・３７の流路板部３６ａ・３７ａの上面に付着しにくくできる。
【００６５】
すなわち、玄米を貯溜する玄米ホッパ５と、該玄米ホッパ５の下方にあって玄米を精白する精白装置４と、該精白装置４の除糠網１７からの糠を受けて機外に取り出す糠ケース１３と、該糠ケース１３・前記除糠網１７間に介設して糠を糠ケース１３まで流下させる糠シュータ３６と、前記精白装置４の排出口５５ａからの精米を貯溜する精米ホッパ９と、該精米ホッパ９から所定量の精米を取り出す計量器１０と、該計量器１０からの精米を受けて機外に取り出す精米ケース１１とを備えた精米機１において、前記精米ホッパ９・計量器１０・精米ケース１１を上から順に連設して精米ユニット１２を構成し、該精米ユニット１２に前記糠ケース１３を幅方向に並設して成る貯溜部１８を、前記玄米ホッパ５の幅Ｗと略同一幅内に配設したので、糠ケース１３を、玄米ホッパ５・精白装置４・精米ユニット１２と共通のハウジング６内に、幅方向にコンパクトに収容することができる。これにより、従来のように、糠ケース１３の分だけ精米機１の幅が大きくなって精米機１の置き場所が限定されたり、糠が、ハウジング６内部の精白装置４からハウジング６外部の糠ケースまで流下する途中でハウジング６の外周に飛散したりすることがなく、設置性の向上や、ハウジング６周囲の清掃作業等の作業負荷の軽減が図れる。更に、精白装置４から糠ケース１３の取入口１３ａ１までの距離が短縮され、その間に介設する糠シュータ３６の流路勾配が大きくなり、糠が流下しやすくなって糠シュータ３６の流路である流路板部３６ａの上面への付着や目詰まりが抑制され、糠シュータ３６の清掃作業等の作業負荷の軽減が図れる。
【００６６】
更に、前記精白装置４は、前記貯溜部１８における糠ケース１３と精米ユニット１２との境界上方で、前記玄米ホッパ５の幅Ｗの略中央下方に配置すると共に、精米を前記排出口５５ａから精米ホッパ９まで流下させる精米シュータ３７と、前記糠シュータ３６とを、幅方向両側に振り分けて備えるので、精白装置４を玄米ホッパ５の幅Ｗの略中央下方に配置して、玄米ホッパ５を幅方向対称に形成することができ、部品コストの低減が図れ、更には、例えば、玄米ホッパ５を、正面視で略中央位置に精白装置４への開口である流下口５ｂを備えたロート状に形成する場合は、図２に示すように、玄米ホッパ５の絞り部５ｃの下方にて幅方向略均一に確保された空間６０に、精白装置４駆動用の大径の入力プーリである従動プーリ２４を余裕を持って配置することができ、電動モータ２０のモータ軸２１上の出力プーリである駆動プーリ２２との間の最大減速比を大きくして、速度制御範囲の拡大が図れる。これに加え、糠シュータ３６・精米シュータ３７を幅方向両側に振り分けて設けて、精白装置４を精米ホッパ９の幅方向反対側に離間して配置する場合に比べ、精白装置４から精米ホッパ９の取入口９ａまでの距離も短縮することができ、その間に介設する精米シュータ３７の流路勾配が大きくなり、精米が流下しやすくなって、精米に残存している糠の精米シュータ３７の流路である流路板部３７ａの上面への付着や目詰まりが抑制され、精米シュータ３７の清掃作業等の作業負荷の軽減が図れる。
【００６７】
加えて、前記糠シュータ３６を振動可能な振動手段である限定支持構造６２を設けるので、流下する糠が糠シュータ３６の流路である流路板部３６ａの上面に付着するのを、振動によって大きく抑制することができ、糠シュータ３６の清掃作業等の作業負荷の更なる軽減が図れる。
【００６８】
そして、前記振動手段は、前記糠シュータ３６を精白装置４の構成部材であるケーシング７によってのみ支持させる限定支持構造６２であるので、精白装置４駆動時の振動を、ほとんど減衰させることなく糠シュータ３６に効果的に伝達することができ、振動装置を別途に設ける必要がなくなり、装置コストの低減、メンテナンス性の向上を図ることができる。
【００６９】
更に、糠シュータ３６と、該糠シュータ３６の近傍部材である糠ケース１３との間に、振動時の接触防止のための隙間７２を設けるので、糠シュータ３６が糠ケース１３と直接接触しないようにすることができ、振動の減衰を防止して、糠シュータ３６の清掃作業等の作業負荷を更に一層軽減できる。加えて、糠シュータ３６・糠ケース１３間が繰り返し接触しないようにして、損耗や大きな騒音の発生を防止することができる。
【００７０】
そして、前記精白装置４から周辺部材である基台２や玄米ホッパ５への振動伝達経路の途中に、防振部材である防振シート７０や防振スポンジ７１を介設するので、振動が基台２や玄米ホッパ５に直接伝達されないようにすることができ、振動の減衰を防止して、糠シュータ３６の清掃作業等の作業負荷を更に一層軽減できる。加えて、前記精白装置４から防振シート７０までの振動伝達経路途中にある部材である機枠３が揺れるに伴い、糠シュータ３６全体を大きく揺らすことができ、糠が糠シュータ３６の流路上面に付着するのを一層抑制できる。
【００７１】
なお、図５に示すように、前記糠ケース１３においては、前記糠シュータ３６の糠流下口３６ｅと対向する左側板１３ａ２の上端高さは、右側板１３ａ３よりも高く設定されており、糠流下口３６ｅから落下する糠が、勢い余って糠ケース１３外部に飛び出さないようにしている。糠ケース１３の後側板１３ａ４については、その上端高さが糠流下口３６ｅよりも低位置に設定されており、糠ケース１３を手前に引き出す際に糠シュータ３６と干渉しないようにしている。
【００７２】
前記精米ホッパ９においても同様に、前記精米シュータ３７の精米流下口３７ｂと対向する右側板９ｄの上端高さは、左側板９ｃよりも高く設定されており、精米流下口３７ｂから落下する精米が、勢い余って精米ホッパ９外部に飛び出さないようにしている。
【産業上の利用可能性】
【００７３】
本発明は、玄米を貯溜する玄米ホッパと、該玄米ホッパの下方にあって玄米を精白する精白装置と、該精白装置の除糠網からの糠を受けて機外に取り出す糠ケースと、該糠ケース・前記除糠網間に介設して糠を糠ケースまで流下させる糠シュータと、前記精白装置の排出口からの精米を貯溜する精米ホッパと、該精米ホッパから所定量の精米を取り出す計量器と、該計量器からの精米を受けて機外に取り出す精米ケースとを備えた、全ての精米機に適用することができる。
【符号の説明】
【００７４】
１  精米機
２  基台（周辺部材）
４  精白装置
５  玄米ホッパ（周辺部材）
７  ケーシング（精白装置の構成部材）
９  精米ホッパ
１０  計量器
１１  精米ケース
１２  精米ユニット
１３  糠ケース（近傍部材）
１７  除糠網
１８  貯溜部
３６  糠シュータ
３７  精米シュータ
５５ａ  排出口
６０  空間
６２  限定支持構造、振動手段
７０  防振シート（防振部材）
７１  防振スポンジ（防振部材）
７２  隙間
Ｗ  幅
【図１】
2015174050.tif 000003
【図２】
2015174050.tif 000004
【図３】
2015174050.tif 000005
【図４】
2015174050.tif 000006
【図５】
2015174050.tif 000007
【図６】
2015174050.tif 000008